(57)【要約】【課題】この発明は、表示された映像の色を簡単に、かつ好みに合わせて調整可能とした映像再生装置及び映像再生方法を提供する。【解決手段】  色調整モードが選択され、例えば手動調整（Ｓ８ｂ）が選択された場合には、領域指定操作により、表示画像の任意の色部分を指定し（Ｓ８ｅ）、各６色の色合いと濃さの調整項目を表示し、それぞれのベースカラー調整を受け付ける（Ｓ８ｆ）。このとき、表示領域の一部に指定領域の調整前の色と調整後の色とを並べて表示し、調整前後の色を比較できるようにする。【選択図】    図４
2006080695.tif 000002
【特許請求の範囲】
【請求項１】
デジタル映像信号を再生し映像表示する表示手段と、
前記表示手段で表示されるデジタル映像信号の色を手動調整するための色調整手段とを具備し、
前記手動調整モードでは、画面上に調整前後の色を並べて表示する領域を設け、それぞれの領域に調整前と調整後の色を表示することを特徴とする映像再生装置。
【請求項２】
前記色調整手段は、基準色に基づいて自動的に調整する自動調整モードと個別に色指定して調整する手動調整モードを備えることを特徴とする請求項１記載の映像再生装置。
【請求項３】
前記自動調整モードでは、基準色として標準記憶色を用いることを特徴とする請求項２記載の映像再生装置。
【請求項４】
前記手動調整モードでは、指定領域の色を予め用意されたカラーパレットによる色合いと濃さによって選定することを特徴とする請求項１記載の映像再生装置。
【請求項５】
デジタル映像信号を再生し映像表示する表示工程と、
前記表示工程で表示されるデジタル映像信号の色を手動調整するための色調整工程とを具備し、
前記手動調整工程は、画面上に所定の領域に調整前と調整後の色を表示することを特徴とする映像再生方法。
【請求項６】
前記色調整工程は、基準色に基づいて自動的に調整する自動調整モードと個別に色指定して調整する手動調整モードを選択する選択工程を備えることを特徴とする請求項５記載の映像再生方法。
【請求項７】
前記自動調整モードでは、基準色として標準記憶色を用いることを特徴とする請求項５記載の映像再生方法。
【請求項８】
前記手動調整モードでは、指定領域の色を予め用意されたカラーパレットによる色合いと濃さによって選定することを特徴とする請求項５記載の映像再生方法。
【発明の詳細な説明】
【技術分野】
【０００１】
この発明は、デジタルテレビ受信機で受信処理した映像を表示するための映像再生装置及び映像再生方法に関し、表示映像の色を調整可能にしたものである。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
この場合、映像表示器（ディスプレイ）に設定されている色バランスによっては、画面に表示される映像が視聴者のイメージしている色彩と異なる場合がある。この場合、視聴者は表示された映像を見て不自然な色と感じてしまうことがある。このため、表示された映像の色を簡単に、かつ好みに合わせて調整可能にしたいという要望がある。
【０００５】
特許文献１には、テレビジョン受像機における色あい表示装置が記載されている。
【特許文献１】特許第２５５０９６３号
【発明の開示】
【発明が解決しようとする課題】
【０００６】
そこで、この発明は上記事情を考慮してなされたもので、表示された画面上の映像の色を簡単に、かつ好みに合わせて調整可能とした映像再生装置及び映像再生方法を提供することを目的とする。
【課題を解決するための手段】
【０００７】
この発明に係る映像再生装置は、デジタル映像信号を再生し映像表示する表示手段と、前記表示手段で表示されるデジタル映像信号の色を手動調整するための色調整手段とを具備し、前記手動調整モードでは、画面上に調整前後の色を並べて表示する領域を設け、それぞれの領域に調整前と調整後の色を表示することを特徴とするものである。
【０００８】
また、この発明に係る映像再生方法は、デジタル映像信号を再生し映像表示する表示工程と、前記表示工程で表示されるデジタル映像信号の色を手動調整するための色調整工程とを具備し、前記手動調整工程は、画面上に所定の領域に調整前と調整後の色を表示することを特徴とするものである。
【発明の効果】
【０００９】
上記した発明によれば、任意の領域の色を手動で色調整する手動調整モードにおいて、調整前の色と調整後の色とを並べて表示することができるため、調整前後の色の違いを容易に識別することができ、ユーザが調整し易くなる。また自動調整モードでは基準色、例えば代表的な記憶色に基づいて自動的に色調整することができるので、表示された映像の色を簡単に、かつ好みに合わせて調整することが可能となる。
【発明を実施するための最良の形態】
【００１０】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１１】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１２】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１３】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１４】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１５】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１６】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１７】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１８】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００１９】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２０】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２１】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２２】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２３】
そして、このチューナ４５で選局された放送信号は、ＰＳＫ（Phase Shift Keying）復調器４６に供給されて、デジタルの映像信号及び音声信号に復調された後、信号処理部４７に出力される。
【００２４】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２５】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２６】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２７】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００２８】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００２９】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３０】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３１】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換したり、表示色を任意に調整して、映像表示器１４に出力して映像表示させるとともに、出力端子５９を介して外部に導出させる。この映像処理部５８はリモコン１７からの四字に応答して、制御部６１の制御の基に色調整が可能で、自動色調整モードとユーザが好みによって調整する手動調整モードで動さ可能である。
【００３２】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３３】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３４】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３５】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３６】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３７】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３８】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００３９】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４０】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４１】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４２】
以上のようにして映像表示器１４には受信した映像が再生表示されるが、表示された映像の色は、映像表示器１４に予め設定した色バランスで決まる。ここで、桜の色、夏の青空、雨が降った後に緑、といった、人が記憶の中で思い起こす「色」、すなわち「記憶色」が人間にとっての「自然色」であることが注目されつつある。この「記憶色」を画面上の映像に再現すれば、よりリアルな写真表示が可能となる。
【００４３】
そこで、本実施形態では、表示装置において、記憶色を基準とした自動色調整モードとユーザが好みによって調整する手動調整モードを備えている。この色調整モードの処理手順について、図４に示すフローチャート及び図５の表示例を参照しながら説明する。
【００４４】
まず、リモートコントローラ１７のメニューキー１７ｐを操作して調整メニューを表示し、カーソルキー１７ｆを用いて色調整メニューを選択する（ステップＳ８ａ）。次に、自動で調整するか否かの選択を促し（ステップＳ８ｂ）、自動が選択された場合には、予め登録されている標準記憶色で画面全体を色調整する（ステップＳ８ｃ）。例えば、図５（ａ）に示すような青空が広がる草原の写真の場合には、より爽やかな青、より輝かしい緑といった、それぞれの記憶色にあった色調整を行う。また、図５（ｂ）に示すように、実際には白く見える桜の映像の場合には、桜色を強調して色鮮やかに再現するといった色調整を行う。このような色調整は、全体の色バランスを自動的に識別して、予め登録された標準記憶色が適用可能な領域を特定し調整するといった手法がとられる。
【００４５】
次に、さらに微調整を行うか否かを選択させ（ステップＳ８ｄ）、行わないことが選択された場合には一連の処理を終了する。
【００４６】
上記ステップＳ８ｂで自動が選択されなかった場合、すなわち手動調整モードや、あるいはステップＳ８ｄで微調整が選択された場合に、例えば図５（ｃ）に示すようにカーソルキー及び決定キーによる領域指定操作により、表示画像の任意の色部分を指定する（ステップＳ８ｅ）と、図５（ｄ）に示すように各６色（レッド、グリーン、ブルー、イエロー、マゼンダ、シアン）の色合いと濃さの調整項目（カラーパレットコントロール）が表示され、それぞれ例えば±３０段階でのベースカラー調整を受け付ける（ステップＳ８ｆ）。
【００４７】
ここで、各色の色合いと濃さを数値で表しても、オリジナルの画像からどの程度変化したのか把握が困難である。そこで、本実施形態では、図５（ｄ）に示すように、表示領域の一部に指定領域のオリジナル色と調整値の色とを並べて表示し、常に調整前後の色を比較できるようにする。これにより、色の変化量が極めて直感的に判断することが可能となり、色調整を簡単に行えるようになる。
【００４８】
各調整項目の指定が完了した場合には（ステップＳ８ｇ）、他に色調整部分があるか判断し（ステップＳ８ｈ）、他に指定された場合にはステップＳ８ｅに戻って処理を続け、他に指定がなければ一連の処理を終了する。こうしてユーザ調整によるカラーバランスの調整ができる。
【００４９】
次に手動調整モードにおけるカラーマネージメントを利用した色調整の例を図６及び図７Ａ、図７Ｂ、図７Ｃを参照して説明する。この場合は、ユーザが選択した部分の色を基に表示映像の色調整が可能となる。先ず、メニューキー１７ｐにより調整項目を表示し、そのメニュー項目の中からカーソルキー１７ｆによってカラーマネージメントの項目を選択する。
【００５０】
これにより、映像再生装置では、カラーマネージメントの項目が表示され、左右カーソルで「オフ」から「オン」に切り替えられることで、カラーマネージメントを利用可能となる。尚、カラーマネージメント処理のメニュー表示としては、任意独立色コントロールモード、６色独立コントロールモード、初期設定に戻すモードを備える。
【００５１】
先に述べた６色独立コントロールモード（図５（ｄ）で述べた調整モード）では、設定指示により、図７Ｂに示すような表示がなされ、カラーバランス調整が行われ、指定した色のみを任意の色に変更し、Ｒ，Ｇ，Ｂ，Ｙ，ＣＹ，Ｍｇの６色各色の輝度に応じて調整する機能を有する。また、初期設定の色バランスに戻す設定指示がなされた場合には、図７Ｃに示すような表示がなされる。
【００５２】
一方、カラーマネージメントにおけるもう１つの調整方法としてカラーパレットコントロール機能を備えている。これは、表示されている映像の任意の部分を指定して色の濃さと色相を調整し任意の色に変換する機能、動画の場合に調整するときに画面を静止させる機能、カーソルで調整したい色（場所）を指定する機能、調整する前の色（元色）と調整後の色を画面上（図中右上）に表示する機能、調整の影響範囲を指定する機能を有する。
【００５３】
即ち、図６は、カラーパレットコントロール時の概要を示し、図７Ａはカラーパレットコントロール時のユーザの手助けを行う画面表示例を示している。図６に示すように、表示色を変更したい領域をカーソルによって指定し、例えば指定した部分の色が緑色であった場合、もっと濃い緑色にしたい場合にはカーソルキー１７ｆで調整することで色の濃さを調整でき、元の色と調整後の色が並べて表示され、決定キー１７ｇを押すことで表示される画面の緑の色はユーザの調整した緑色で再現されることになる。
【００５４】
上記構成によれば、代表的な記憶色の色バランスを記憶しておき、表示画像に対する所定領域部分の標準記憶色を読み出して自動的に調整可能とし、あるいは手動で任意に色調整可能としたので、表示された映像の色を簡単に、かつ好みに合わせて調整することが可能となる。また、上記実施形態では、ユーザによる色調整時にカーソルで指定した部分の領域の色が何色であったかを確認し易くするために、いったん静止画にする機能（例えばリモコンの静止キー）を設け、静止画で調整することをユーザが選択するようにしても良い。
【００５５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５６】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置の色調整モードの処理手順を示すフローチャート。
【図５】同実施の形態における色調整モードの処理における表示例を示す図。
【図６】同実施の形態の手動による色調整モードでのカラーマネージメント表示画面を示す図。
【図７Ａ】同実施の形態のカラーマネージメントの処理画面による一連の流れを示す図。
【図７Ｂ】同実施の形態のカラーマネージメントの処理画面による一連の流れを示す図。
【図７Ｃ】同実施の形態のカラーマネージメントの処理画面による一連の流れを示す図。
【符号の説明】
【００５７】
１１…デジタルテレビジョン放送受信装置、１２…キャビネット、１３…支持台、１４…映像表示器、１５…スピーカ、１６…操作部、１７…リモートコントローラ、１８…受光部、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ。
【図１】
2006080695.tif 000003
【図２】
2006080695.tif 000004
【図３】
2006080695.tif 000005
【図４】
2006080695.tif 000006
【図５】
2006080695.tif 000007
【図６】
2006080695.tif 000008
【図７Ａ】
2006080695.tif 000009
【図７Ｂ】
2006080695.tif 000010
【図７Ｃ】
2006080695.tif 000011